(57)【要約】【課題】本発明は、ＳＭＰＳなどの専用回路構成を通じなくても簡素化された整流回路とＬＥＤの個数調節により交流で駆動するＬＥＤ照明を具現することができる交流電源ＬＥＤ照明システムに関するものである。【解決手段】前記目的を果たすために、本発明は、外部から入力される交流電源を受けてＬＥＤが実装されたＬＥＤモジュールを駆動させてＬＥＤ照明で設置される照明システムにおいて、装置の駆動源である交流電源を外部から受ける電源部と、前記入力された電源をブリッジ整流回路により整流する整流部と、前記整流部から整流された電源を受けてＬＥＤを駆動し、入力された電源に対応する複数個のＬＥＤが直列連結されて所定の電圧によりＬＥＤ（Ｌ）が駆動されるＬＥＤ駆動部と、を含むことを特徴とする交流電源ＬＥＤ照明システムを提供する。【選択図】図１
2011521407.tif 000002
【特許請求の範囲】
【請求項１】
外部から入力される交流電源を受けてＬＥＤ（Ｌ）が実装されたＬＥＤモジュール２０を駆動させてＬＥＤ照明を行なう照明システムにおいて、
装置の駆動源である交流電源を外部から受ける電源部４０と、
前記入力された電源をブリッジ整流回路５１により整流する整流部５０と、
前記整流部５０から整流された電源を受けてＬＥＤ（Ｌ）を駆動し、入力された電源に対応する複数個のＬＥＤ（Ｌ）が直列連結されて所定の電圧によりＬＥＤ（Ｌ）が駆動されるＬＥＤ駆動部６０と、を含むことを特徴とする交流電源ＬＥＤ照明システム。
【請求項２】
前記電源部４０と整流部５０により外部から入力される交流電源を受けてＬＥＤ駆動部６０からＬＥＤ（Ｌ）を駆動させるための電源に整流して供給し、使用者によって入力される操作信号を受けて前記ＬＥＤモジュール２０の点灯と消灯及び明るさ調節を遂行し、前記使用者の操作信号を無線に受信するための無線通信モジュール２を具備したＬＥＤ照明部１と、
前記ＬＥＤ照明部１を操作するために操作信号を入力し、前記ＬＥＤ照明部１の無線通信モジュール２と対応する無線通信モジュール４を具備したコントロール部３と、をさらに含むことを特徴とする請求項１に記載の交流電源ＬＥＤ照明システム。
【請求項３】
前記ＬＥＤ照明部１は、使用者の操作信号を受信する無線通信モジュール２と、この信号を受けて前記ＬＥＤモジュール２０の点灯と消灯及び明るさを制御するためのマイコン５と、前記マイコン５の制御信号によって前記ＬＥＤモジュール２０の明るさを調節するディミング回路部１０とがワンケース（Ｃ）に設置されたことを特徴とする請求項２に記載の交流電源ＬＥＤ照明システム。
【請求項４】
前記ワンケース（Ｃ）には、前記マイコン５で使用者が直接操作信号を入力するようにするためのスイッチング部６がさらに具備されたことを特徴とする請求項３に記載の交流電源ＬＥＤ照明システム。
【請求項５】
前記コントロール部３は、前記無線通信部４を通じて前記ＬＥＤ照明部１へ操作信号を送るためのキー入力部７と、キー入力された信号を前記無線通信部４を通じて送るための操作信号で生成する信号生成部８と、を含むことを特徴とする請求項１ないし４のいずれかー項に記載の交流電源ＬＥＤ照明システム。
【請求項６】
ＬＥＤ照明を適用するための区間で人跡の有無、自然光の明るさ、一日の時間経過を感知するセンサー部１’と、
前記センサー部１’の感知信号が入力されば、感知された状況に対応してＬＥＤ照明の明るさを調節するための制御信号を生成する制御部２’と、
前記制御部２’から入力された制御信号により外部から印加される交流電源をＰＷＭ制御してＬＥＤ（Ｌ）の駆動明るさが調節された駆動信号を生成するディミング回路部１０と、
前記ディミング回路部１０から生成された駆動信号により前記ＬＥＤ（Ｌ）を駆動させるために整流を遂行し、整流された電源を前記ＬＥＤ（Ｌ）へ供給して前記制御部２’の制御信号によりＬＥＤ照明で駆動するＬＥＤモジュール２０と、を含むことを特徴とする交流電源ＬＥＤ照明システム。
【請求項７】
前記ＬＥＤモジュール２０は、
装置の駆動源である交流電源を外部から受ける電源部４０と、
前記入力された電源をブリッジ整流回路５１により整流する整流部５０と、
前記整流部５０から整流された電源を受けて前記ＬＥＤ（Ｌ）を駆動し、入力された電源に対応する複数個のＬＥＤ（Ｌ）と抵抗６１が直列連結されて所定の電圧により前記ＬＥＤ（Ｌ）が駆動されるようにするＬＥＤ駆動部６０と、を含むことを特徴とする請求項６に記載の交流電源ＬＥＤ照明システム。
【請求項８】
前記ディミング回路部１０は、前記ＬＥＤ（Ｌ）が設定された時間の間、漸次的に明るくなるようにして点燈される過程と、設定された時間の間、漸次的に暗くなるようにして消灯される過程中いずれか一つを選択的に適用するか、または、すべての過程を遂行するようにした駆動信号を生成するようにしたタイマー１１’を含むことを特徴とする請求項６に記載の交流電源ＬＥＤ照明システム。
【請求項９】
前記センサー部１’は、
照明が適用される区間の人跡有無を感知するための人体感知センサー３’と、
前記区間に自然光が照射される時の光量を感知するための光量感知センサー４’と、
時計等と連動して一日の時間経過を感知するための時間感知センサー５’と、を含むことを特徴とする請求項８に記載の交流電源ＬＥＤ照明システム。
【請求項１０】
前記ＬＥＤモジュール２０のＯＮ／ＯＦ及び設定状態を入力するために前記制御部２’へ設定信号を入力する電源スイッチング部６’と設定スイッチング部７’とを含み、前記各スイッチング部６、７は有線に選択された操作パネルまたは、無線に選択されたリモートコントローラーに適用されることを特徴とする請求項６に記載の交流電源ＬＥＤ照明システム。
【請求項１１】
外部から入力される交流電源を受けてＬＥＤ（Ｌ）を駆動させるための電源に整流して供給するＬＥＤモジュール２０と、
前記ＬＥＤモジュール２０に入力される電源の電流を一定に供給するために電源がＬＥＤモジュール２０に入力される前または、電源がＬＥＤモジュール２０に入力されて整流を遂行した以後の区間に設置される定電流回路部１０’と、を含むことを特徴とする交流電源ＬＥＤ照明システム。
【請求項１２】
前記ＬＥＤモジュール２０は、
装置の駆動源である交流電源を外部から受ける電源部４０と、
前記入力された電源をブリッジ整流回路５１により整流する整流部５０と、
前記記整流部５０から整流された電源を受けてＬＥＤ（Ｌ）を駆動し、入力された電源に対応する複数のＬＥＤ（Ｌ）と抵抗６１が直列連結されて所定の電圧により前記ＬＥＤ（Ｌ）が駆動されるようにしたＬＥＤ駆動部６０と、を含むことを特徴とする請求項１１に記載の交流電源ＬＥＤ照明システム。
【請求項１３】
前記定電流回路部１０’は、電源が入力される側と、入力された電源を定電流供給する側にそれぞれ電流量を測定するための電流測定機１１が設置され、これら電流測定機１１は比較器１２によりそれぞれの電流量が測定されて表示装置１３を通じて定電流が生成される過程がモニタリングされることを特徴とする請求項１１または１２に記載の交流電源ＬＥＤ照明システム。
【請求項１４】
前記定電流回路部１０’は、それぞれの前記電流測定機１１から検出された電流量が前記比較器１２を通じて比較されば、比較されたデータを受けて過電流供給可否を判断して、判断された結果を前記表示装置を通じて外部に表示するマイコン１４を含むことを特徴とする請求項１３に記載の交流電源ＬＥＤ照明システム。
【請求項１５】
前記マイコン１４は、キー入力部１６を通じて使用者によるＬＥＤモジュール２０の操作信号が入力されれば、この操作信号により前記ＬＥＤモジュール２０を制御するための制御信号を生成し、この制御信号を受けてＬＥＤモジュール２０の点灯及び消灯と明るさ調節を遂行するようにしたディミング回路部１０を含むことを特徴とする請求項１４に記載の交流電源ＬＥＤ照明システム。
【請求項１６】
装置の駆動源である交流電源を受けてＲＧＢ  ＬＥＤ（Ｌ）を駆動させるための電源に変換して出力するブリッジダイオード整流回路部２１０と、
前記ブリッジダイオード整流回路部２１０を通じて入力された電源をＲ、Ｇ、Ｂの各ＬＥＤ（Ｌ）へ供給する電源に分岐及び調節して最終的に得られる照明の色相を設定及び調節するようにしたモジュール色相調節回路部２２０と、
前記モジュール色相調節回路部２２０を通じて入力された電源によりＲ、Ｇ、Ｂの光を放出するための複数のＬＥＤ（Ｌ）が配置され、これらＬＥＤは赤色の光を発光する複数のＲ  ＬＥＤグループ２３１と、緑の光を発光する複数のＧ  ＬＥＤグループ２３２、青色の光を発光する複数のＢ  ＬＥＤグループ２３３がそれぞれ直列で連結されて前記モジュール色相調節回路部２２０を通じて入力された電源の電圧降下を通じて所定の電圧を受けて発光するＲＧＢ  ＬＥＤ駆動部２３０と、を含むことを特徴とする交流電源ＬＥＤ照明システム。
【請求項１７】
前記Ｒ、Ｇ、Ｂ  ＬＥＤグループ２３１、２３２、２３３をそれぞれ分割してＲ、Ｇ、Ｂ  ＬＥＤ  分割グループ２４１、２４２、２４３で区分し、これら区分されたＲ、Ｇ、Ｂ  ＬＥＤ  分割グループ２４１、２４２、２４３をそれぞれの基板（Ｐ）に実装して単位モジュール２４０を構成し、この単位モジュール２４０にそれぞれ識別手段が付与されたスイッチング回路部２４４を実装し、
前記モジュール色相調節回路部２２０が、
前記ブリッジダイオード整流回路部２１０を通じて入力された電源を各単位モジュール２４０に選択的に分割入力して、前記Ｒ、Ｇ、Ｂ  ＬＥＤ分割グループ２４１、２４２、２４３の選択的な点滅により所定の色相の照明を演出するための信号を生成する制御部２２１と、
前記制御部２２１から生成された信号を受けて各単位モジュール２４０のスイッチング回路部２４４を駆動させる駆動回路部２２２と、を含むことを特徴とする請求項１６に記載の交流電源ＬＥＤ照明システム。
【請求項１８】
前記モジュール色相調節回路部２２０は、
使用者が前記各単位モジュール２４０に対する選択的な駆動可否及び選択された単位モジュールの照明色相を入力するための操作信号入力部２２３と、
前記操作信号入力部２２３により入力された信号によって前記単位モジュール２４０を選択して使用者が要求する照明色相に対するデータを前記制御部２２１に提供する色相データテーブル２２４と、を含むことを特徴とする請求項１７に記載の交流電源ＬＥＤ照明システム。
【請求項１９】
前記ブリッジダイオード整流回路部２１０により整流されて入力される電源をいつも一定の量の電流で供給するための定電流供給回路部２５０をさらに含むことを特徴とする請求項１６ないし１８のいずれかー項に記載の交流電源ＬＥＤ照明システム。
【発明の詳細な説明】
【技術分野】
【０００１】
本発明は交流電源ＬＥＤ照明システムに関するものである。
【０００２】
詳細には、本発明はＳＭＰＳなどの専用回路構成が不要で簡素化された整流回路とＬＥＤの個数調節により交流で駆動するＬＥＤ照明を具現した交流電源ＬＥＤ照明システムに関するものである。また、本発明は交流により駆動するＬＥＤ照明の明るさを調節するための手段を用意し、その手段によってＬＥＤ照明の明るさがコードレス通信方式で調節することができる交流電源ＬＥＤ照明システムを開示する。また、本発明はシステムを安定的に駆動させるためにいつも均一な電源が供給されるようにした定電流回路と、入力される電流量を常時確認するようにした構成を取り揃えた交流電源ＬＥＤ照明システムを開示する。また、本発明はＬＥＤを多様な色相を発光する構成を適用し、この色相の組合により所定の照明色相を演出するようにした交流電源ＬＥＤ照明システムを開示する。
【背景技術】
【０００３】
一般的に、建築物の室内照明は、代表的に蛍光燈またはハロゲン燈などが天井や壁体に設置される。このような  蛍光燈またはハロゲン燈などは室内燈として普遍的ではあるが、消費電力が大きく、主に単色の照明のみに使用される。このような高い消費電力及び照明の単調さを解決するため、最近では蛍光燈またはハロゲン燈に比べて、低い消費電力で多様な色相の照明を演出できるＬＥＤ照明燈が製作されて発売開始されている。
【０００４】
前記のようなＬＥＤ照明燈装置は部屋や事務室のメーン  燈、卓上用スタンド燈で多用されている。このような実施形態でもっと発展した形態として導光板を利用した照明タイルなどを例示することができる。このような照明燈装置は複数のＬＥＤが実装されたＬＥＤモジュールを特定の配列でいくつか配置し、前記ＬＥＤモジュールを空間の天井や壁面などに設置して構成される。
【０００５】
特に、前記ＬＥＤモジュールはＬＥＤが適正電圧の直流電流により駆動される特性によって外部から入力される交流電源を直流電源に変化させるためのＡ／Ｄコンバータを伴っている。この時、前記Ａ／Ｄコンバータは交流を変圧するためのトランスコイルを持つ変圧器回路が必要で、このような変圧器回路はＬＥＤモジュールで相当な大きさになり、これを適用した製品が大型化される問題点が発生する。
【０００６】
前記のような問題点を解決するために、最近ではＬＥＤが採用される小型の装置にＳＭＰＳ（Ｓｗｉｔｃｈｉｎｇ  Ｍｏｄｅ  Ｐｏｗｅｒ  Ｓｕｐｐｌｙ）と呼称される電源供給装置が適用される。このようなＳＭＰＳは交流電源の周波数を直流電源の高い周波数に変更するもので、既存の変圧器などに比べて小型化／軽量化されたコンバーティング回路にできる。
【０００７】
また、前述した蛍光燈またはハロゲン燈の照明が単調だという短所を解決するための多様な色相の照明を演出するようにしたＬＥＤ照明は、使用者の要求によって多様な色相の光をリアルタイム変換して照明を演出するために、Ｒ（ＲＥＤ）、Ｇ（ＧＲＥＥＮ）、Ｂ（ＢＬＵＥ）の光の３原色相に対するＬＥＤが実装されたＲＧＢ  ＬＥＤモジュールの構成を採用してカラー色相を提供する照明装置が設置されている。
【０００８】
このような照明装置は、複数のＲＧＢ  ＬＥＤが実装されたＲＧＢ  ＬＥＤモジュールを特定の配列でいくつか配置し、前記ＬＥＤモジュールを空間の天井や壁面などに設置して構成するようになる。特に、前記のような照明装置が屋内や外部の広告照明に適用されるためには、複数のＲＧＢ  ＬＥＤが単位モジュールに結合された状態で、前記単位モジュールを複数個連結して、単位モジュールを所定の広告照明の形態で配置するようにすることによって、ＲＧＢ  ＬＥＤモジュールを具現するようになる。
【発明の概要】
【発明が解決しようとする課題】
【０００９】
しかし、前記ＳＭＰＳは、既存の変圧器回路などに比べて小型化／軽量化されたコンバーティング回路にできる一方、概して２２０Ｖの交流電源を１２〜２４Ｖの直流電源に変換するが、かなり大きな電流容量を必要とするようになる。これによって高い電流容量のＳＭＰＳは、相当時間照明を駆動させなければならない室内照明燈の特性によって深刻な高いエネルギー損失を誘発するようになる。
【００１０】
特に、前記高い電流容量のＳＭＰＳは、高価な製品で、単純に照明燈の用途で使われるＬＥＤモジュールに適用することは、ＬＥＤモジュールの製作費用を大幅に上昇させて照明用途にはその適用が微々たる実情である。また、前記ＳＭＰＳモジュールは小型化及び軽量化されているが、概してＳＭＰＳモジュールに比べてもっと小型化製作されるＬＥＤモジュールに比べて非常に大きい大きさに製作されるから、ＬＥＤ照明燈の小型化／軽量化に限界がある。これによってＳＭＰＳが適用されたＬＥＤモジュールを採用するＬＥＤ照明燈装置も小型化しにくい問題点が露出する。
【００１１】
同時に、前記ＬＥＤ照明は、昼間と夜間の区分によりＯＮ／ＯＦＦ作用を遂行するが、所定の照明空間に人跡がある場合とない場合などの状況や、自然光が室内に流入して室内の明るさが変化するにかかわらず、いつも一定の光を発散するから、ＬＥＤ照明をすることによるエネルギーの消耗率が高いという経済的な短所が発生する。
【００１２】
また、前記ＬＥＤ照明は、複数のＬＥＤが配列されたモジュール構成と、ＬＥＤモジュールで外部の電源をコンボティングして供給するための電源供給構成と、ＬＥＤをＯＮ／ＯＦＦするためのスイッチング構成とがそれぞれ別途の構成で区分して製作されて特定の位置、例として一般住宅や事務室内部の壁体など多くの所（それぞれの構成を設置するため）を破損させて設置しなければならない。これにより一般蛍光燈やハロゲン燈の照明をＬＥＤ照明に入れ替え設置しようとする時、追加的な工事を遂行することによって、その施工費用の上昇する問題点が露出する。
【００１３】
特に、ＬＥＤ照明の中で、屋外広告用途に適用されるＬＥＤモジュールは、複数のＬＥＤが配列された相当な個数のモジュール構成によりＬＥＤには相当な過電流が印加される場合がよく発生する。すなわち、電源部から印加される電圧と電流は距離に比例する特性により、前記のように特定の形態で複数のＬＥＤが連結されるＬＥＤモジュールは、電源部に接したことであればあるほど、過電流が印加されてＬＥＤがよほど過熱され、これによりＬＥＤモジュールの照明が不安定な動作を遂行することと同時に、ＬＥＤの使用寿命を縮めさせるようになる。
【００１４】
また、ＬＥＤ照明の中で屋外広告用途に適用されるＬＥＤモジュールは、複数のＬＥＤが実装された単位モジュールを複数個が並列で設置するから、前述したＳＭＰＳの電流容量消耗がもっと深刻になる短所がある。
【００１５】
一方、前記ＲＧＢ  ＬＥＤモジュールの構成は、照明燈を施工する時、所定の多くの色相の光で照明を具現することができるが、これはただ所定の単一の色相のみを表現するだけであり、使用者が多様な色相で照明を変更することができないから、多様な照明色相の要求に応じにくいという問題点が発生する。
【００１６】
したがって、本発明は、前記のような従来の問題に鑑みなされたもので、本発明の一番目の目的は、ＬＥＤ照明を具現するための電源の入力がより簡素化された回路により整流されて所定の電源を入力することによって、構成の簡素化により製作費用を減少させ、構成をより小型化／軽量化することができるＬＥＤ照明システムの提供することにある。
【００１７】
本発明の二番目の目的は、ＬＥＤモジュールで交流電源に整流して供給するための構成に、ＬＥＤ照明の明るさを調節するための構成を付加し、特に、これら構成が一体化されてワンケースに内装するように構成すると同時に、
ＬＥＤ照明の明るさをコードレス通信を通じて調節するようにして照明の明るさ調節が一層便利に遂行することができるし、低い施工費用でＬＥＤ照明を速かに設置することができるＬＥＤ照明システムの提供することにある。
【００１８】
本発明の三番目の目的は、照明が適用される区間に人跡の有無、外部の自然光による明るさに対応して、一日２４時間の経過による時間設定などにより照明の明るさを自動に調節することによって、電力の浪費要因を最小化することができるＬＥＤ照明システムの提供することにある。
【００１９】
本発明の四番目の目的は、ＬＥＤモジュールに入力される電源にいつも一定の量の電流が印加されると同時に、過電流が印加された時、これを外部に表示するようにしてＬＥＤモジュールをいつも安定的に使用し、ＬＥＤの使用寿命を延ばすようにしたＬＥＤ照明システムの提供することにある。
【００２０】
本発明の五番目の目的は、ＬＥＤ照明を使用者が目的とする色相に手軽に変換させることができる構成を具現して、カラー色相の常時調節による多様な使用者の要求に応じるようにしたＬＥＤ照明システムの提供することにある。
【課題を解決するための手段】
【００２１】
前記一番目の目的を果たすため、本発明は次の構成を持つ。
【００２２】
本発明は、外部から入力される交流電源を受けてＬＥＤが実装されたＬＥＤモジュールを駆動させてＬＥＤ照明で設置される照明システムにおいて、装置の駆動源である交流電源を外部から受ける電源部と、前記入力された電源をブリッジ整流回路により整流する整流部と、前記整流部から整流された電源を受けてＬＥＤを駆動し、入力された電源に対応する複数個のＬＥＤが直列連結されて所定の電圧によりＬＥＤ（Ｌ）が駆動されるＬＥＤ駆動部と、を含む。
【００２３】
前記二番目の目的を果たすため、本発明は次の構成を持つ。
【００２４】
本発明は、前記電源部と整流部により外部から入力される交流電源を受けてＬＥＤ駆動部からＬＥＤを駆動させるための電源に整流して供給し、使用者によって入力される操作信号を受けて前記ＬＥＤモジュールの点灯と消灯及び明るさ調節を遂行し、前記使用者の操作信号を無線に受信するための無線通信モジュールを具備したＬＥＤ照明部と、前記ＬＥＤ照明部を操作するために操作信号を入力し、前記ＬＥＤ照明部の無線通信モジュールと対応する無線通信モジュールを具備したコントロール部と、を含む。
【００２５】
ここで、前記ＬＥＤ照明部は、使用者の操作信号を受信する無線通信モジュールと、この信号を受けて前記ＬＥＤモジュールの点灯と消灯及び明るさを制御するためのマイコンと、前記マイコンの制御信号によって前記ＬＥＤモジュールの明るさを調節するディミング回路部とがワンケースに設置される。
【００２６】
また、前記ワンケースには、前記マイコンで使用者が直接操作信号を入力するようにするためのスイッチング部をさらに具備する。
【００２７】
特に、前記コントロール部は、前記無線通信部を通じて前記ＬＥＤ照明部へ操作信号を送るためのキー入力部と、キー入力された信号を前記無線通信部を通じて送るための操作信号を生成する信号生成部とを含む。
【００２８】
前記三番目の目的を果たすため、本発明は次の構成を持つ。
【００２９】
本発明は、ＬＥＤ照明を適用するための区間で人跡の有無、自然光の明るさ、一日の時間経過を感知するセンサー部と、前記センサー部の感知信号が入力されば、感知された状況に対応してＬＥＤ照明の明るさを調節するための制御信号を生成する制御部と、前記制御部から入力された制御信号により外部から印加される交流電源をＰＷＭ制御してＬＥＤの駆動明るさが調節された駆動信号を生成するディミング回路部と、前記ディミング回路部から生成された駆動信号により前記ＬＥＤを駆動させるために整流を遂行し、整流された電源を前記ＬＥＤへ供給して前記制御部の制御信号によりＬＥＤ照明で駆動するＬＥＤモジュールと、  を含む。
【００３０】
ここで、前記ＬＥＤモジュールは、装置の駆動源である交流電源を外部から受ける電源部と、前記入力された電源をブリッジ整流回路により整流する整流部と、前記整流部から整流された電源を受けて前記ＬＥＤを駆動し、入力された電源に対応する複数個のＬＥＤと抵抗が直列連結されて所定の電圧により前記ＬＥＤが駆動されるようにするＬＥＤ駆動部と、を含む。
【００３１】
また、前記ディミング回路部は、前記ＬＥＤが設定された時間の間、漸次的に明るくなるようにして点燈される過程と、設定された時間の間、漸次的に暗くなるようにして消灯される過程中いずれか一つを選択的に適用するか、または、すべての過程を遂行するようにした駆動信号を生成するようにしたタイマーを含む。
【００３２】
特に、前記センサー部は、照明が適用される区間の人跡有無を感知するための人体感知センサーと、前記区間に自然光が照射される時の光量を感知するための光量感知センサーと、時計等と連動して一日の時間経過を感知するための時間感知センサーと、を含む。
【００３３】
さらに、前記ＬＥＤモジュールのＯＮ／ＯＦ及び設定状態を入力するために前記制御部へ設定信号を入力する電源スイッチング部と設定スイッチング部とを含み、前記各スイッチング部は有線に選択された操作パネルまたは、無線に選択されたリモートコントローラーに適用される。
【００３４】
前記四番目の目的を果たすため、本発明は次の構成を持つ。
【００３５】
本発明は、外部から入力される交流電源を受けてＬＥＤを駆動させるための電源に整流して供給するＬＥＤモジュールと、前記ＬＥＤモジュールに入力される電源の電流を一定に供給するために電源がＬＥＤモジュールに入力される前または、電源がＬＥＤモジュールに入力されて整流を遂行した以後の区間に設置される定電流回路部と、を含む。
【００３６】
ここで、前記ＬＥＤモジュールは、装置の駆動源である交流電源を外部から受ける電源部と、前記入力された電源をブリッジ整流回路により整流する整流部と、前記記整流部から整流された電源を受けてＬＥＤを駆動し、入力された電源に対応する複数個のＬＥＤと抵抗が直列連結されて所定の電圧により前記ＬＥＤが駆動されるようにしたＬＥＤ駆動部と、を含む。
【００３７】
前記定電流回路部は。電源が入力される側と、入力された電源を定電流供給する側にそれぞれ電流量を測定するための電流測定機が設置され、これら電流測定機は比較器によりそれぞれの電流量が測定されて表示装置を通じて定電流が生成される過程がモニタリングされる。
【００３８】
また、前記定電流回路部は、それぞれの前記電流測定機から検出された電流量が前記比較器を通じて比較されば、比較されたデータを受けて過電流供給可否を判断して、判断された結果を前記表示装置を通じて外部に表示するマイコンを含む。
【００３９】
特に、前記マイコンは、キー入力部を通じて使用者によるＬＥＤモジュールの操作信号が入力されば、この操作信号により前記ＬＥＤモジュールを制御するための制御信号を生成し、この制御信号を受けてＬＥＤモジュールの点灯及び消灯と明るさ調節を遂行するようにしたディミング回路部を含む。
【００４０】
前記五番目の目的を果たすため、本発明は次の構成を持つ。
本発明は、装置の駆動源である交流電源を受けてＲＧＢ  ＬＥＤを駆動させるための電源に変換して出力するブリッジダイオード整流回路部と、前記ブリッジダイオード整流回路部を通じて入力された電源をＲ、Ｇ、Ｂの各ＬＥＤへ供給する電源に分岐及び調節して最終的に得られる照明の色相を設定及び調節するようにしたモジュール色相調節回路部と、前記モジュール色相調節回路部を通じて入力された電源によりＲ、Ｇ、Ｂの光を放出するための複数のＬＥＤが配置され、これらＬＥＤは赤色の光を発光する複数のＲ  ＬＥＤグループ、緑の光を発光する複数のＧ  ＬＥＤグループ、青色の光を発光する複数のＢ  ＬＥＤグループがそれぞれ直列で連結されて前記モジュール色相調節回路部を通じて入力された電源の電圧降下を通じて所定の電圧を受けて発光するＲＧＢ  ＬＥＤ駆動部と、を含む。
【００４１】
また、  本発明は、前記Ｒ、Ｇ、Ｂ  ＬＥＤグループをそれぞれ分割してＲ、Ｇ、Ｂ  ＬＥＤ  分割グループで区分し、これら区分されたＲ、Ｇ、Ｂ  ＬＥＤ  分割グループをそれぞれの基板に実装して単位モジュールを構成し、この単位モジュールにそれぞれ識別手段が付与されたスイッチング回路部を実装し、前記モジュール色相調節回路部が、前記ブリッジダイオード整流回路部を通じて入力された電源を各単位モジュールに選択的に分割入力して、前記Ｒ、Ｇ、Ｂ  ＬＥＤ分割グループの選択的な点滅により所定の色相の照明を演出するための信号を生成する制御部と、前記制御部から生成された信号を受けて各単位モジュールのスイッチング回路部を駆動させる駆動回路部とを含む。
【００４２】
ここで、前記モジュール色相調節回路部は、使用者が前記各単位モジュールに対する選択的な駆動可否及び選択された単位モジュールの照明色相を入力するための操作信号入力部と、前記操作信号入力部により入力された信号によって前記単位モジュールを選択して使用者が要求する照明色相に対するデータを前記制御部に提供する色相データテーブルと、を含む。
【００４３】
また、本発明は、前記ブリッジダイオード整流回路部により整流されて入力される電源をいつも一定の量の電流で供給するための定電流供給回路部をさらに含む。
【発明の効果】
【００４４】
前記ように構成される本発明は、ブリッジ整流回路と連動する適正個数のＬＥＤが配置されて専用のＳＭＰＳが排除された簡素化された構成により入力電源が交流から直流にコンバーティングされることによって、製作費用の減少及び製品の大きさの小型化により製品の販売原価節減による販売效率促進が図れる。さらに、小型化された製品は適用範囲を拡張させることができる。
【００４５】
特に、本発明は、ＬＥＤモジュールの照明明るさを調節するように構成し、電源供給構成と明るさを調節するためのディミング構成とをワンケースに内装させるように構成し、同時に前記照明明るさの調節が無線通信モジュールにより遂行されるようにして使用上の便利さを提供し、一般施工の過程及び一般蛍光燈とハロゲン燈とをＬＥＤ照明と交替する施工の過程が迅速で低い費用に遂行することができる。
【００４６】
また、本発明は、人跡の有無、自然光による明るさ、経時などによる照明の明るさ調節が自動に遂行されて消費電力の減少によってエネルギー浪費要因を解決して経済的なＬＥＤ照明システムを具現することができる。
【００４７】
さらに、本発明は、ＬＥＤモジュールに入力される電源がいつも一定の量の電流で印加すると同時に、過電流が印加される時、これを外部に表示するようにして過電流が印加されば、これを認知して迅速な対応を遂行することによって、ＬＥＤモジュールをより安定的に使用し、一定の範囲内でいつも一定の量の定電流が供給されるようにしてＬＥＤの使用寿命を進めて経済的利益を得ることができる。
【００４８】
さらに、本発明は、交流電源により駆動するＲＧＢ  ＬＥＤの照明色相を使用者が手軽く調節することによって、使用者の要求に対して多様な色相の照明を演出することができるので、より高級化された製品を製作することができる。
【図面の簡単な説明】
【００４９】
【図１】本発明によるＬＥＤ照明システムの中でＬＥＤモジュールの回路図である。
【図２】本発明によるＬＥＤ照明システムのブロック図である。
【図３】本発明によるＬＥＤ照明システムの中でディミング回路部の回路図である。
【図４】本発明によるＬＥＤ照明システムのブロック図である。
【図５】本発明によるＬＥＤ照明システムの中でセンサー部のブロック図である。
【図６】本発明によるＬＥＤ照明システムのブロック図である。
【図７】本発明によるＬＥＤ照明システムの中で定電流回路部回路図である。
【図８】本発明によるＲＧＢカラーＬＥＤモジュールの斜視図である。
【図９】本発明によるＲＧＢカラーＬＥＤモジュールの回路構成ブロック図である。
【図１０】０は本発明によるＲＧＢカラーＬＥＤモジュールの機能が拡張された構成ブロック図である。
【図１１】本発明の使用状態実施例  １の例示図である。
【図１２】本発明の使用状態実施例  ２の例示図である。
【図１３】本発明の使用状態実施例３の例示図である。
【発明を実施するための形態】
【００５０】
前記のような本発明の実施例を添付された図面を参照して詳しく説明する。
【００５１】
図１は本発明によるＬＥＤ照明システムの中でＬＥＤモジュールの回路図であり、図２は本発明によるＬＥＤ照明装置のブロック図であり、図３は本発明によるＬＥＤ照明システムの中でディミング回路部の回路図である。
【００５２】
図面を参照すれば、本発明によるＬＥＤ照明装置は、ＬＥＤ照明部１と、ＬＥＤ照明部１を無線制御するためのコントロール部３とで成り立つ。この時、前記ＬＥＤ照明の光を発散するＬＥＤ素子（Ｌ）は印刷回路基板（ＰＣＢ）上に複数個が整列して配置され、これらＬＥＤ素子（Ｌ）を駆動（点灯及び消灯）するための色々電気及び電子部品が印刷回路基板上に実装された構成が適用することができる。
【００５３】
前記ＬＥＤ照明部１は外部から入力される交流電源を受けてＬＥＤ素子（Ｌ）を駆動させるための電源に整流して供給するようにした構成である。また、前記ＬＥＤ照明部１は、使用者によって入力される操作信号を受けてＬＥＤモジュール２０の点灯と消灯及び明るさ調節を遂行するようになる。特に、前記ＬＥＤ照明部１は使用者の操作信号を無線に受信するための無線通信モジュール２を取り揃えて構成される。
【００５４】
より具体的に、前記ＬＥＤ照明部１は、無線通信モジュール２、マイコン５、ディミング回路部１０、スイッチング部６、ＬＥＤモジュール２０を含む。この時、前記無線通信モジュール２、マイコン５、ディミング回路部１０、スイッチング部６はワンケース（ｏｎｅ  ｃａｓｅ）（Ｃ）内に設置及び構成される。
【００５５】
前記無線通信モジュール２は、コントロール部３を通じて使用者の操作信号を受信するための構成である。このような無線通信モジュール２はＲＦ信号を受信するためのＲＦ通信機、ブルートゥース（Ｂｌｕｅｔｏｏｔｈ）モジュールなどに適用することができるし、望ましい構成としてＲＳ４８５が適用される。
【００５６】
参照的に、前記ＲＳ４８５は、ＲＳ  ２３２とＲＳ４２２の拡張バージョンとして、ホームネットワークを支援する一種のシリアル通信プロトコル標準規格である。このようなＲＳ４８５は、すべての装置が同じラインでデータ送信及び受信ができるし、半二重通信方式  （ｈａｌｆ−ｄｕｐｌｅｘ  ｍｏｄｅ）と全二重通信方式（ｆｕｌｌ−ｄｕｐｌｅｘ  ｍｏｄｅ）を皆支援する。特に、ＲＳ４８５は、最大ドライバー・レシーバー数がそれぞれ３２個に至り、最大速度１０Ｍｂｐｓに最長距離１．２ｋｍまでネットワーク構築が可能である。
【００５７】
すなわち、前記無線通信モジュールによって複数のＬＥＤモジュール２０をワンケース（Ｃ）に設置された制御構成及びこれを使用者が制御するコントロール部３により同時制御が可能になる。
【００５８】
前記マイコン５は、無線通信モジュール２を通じて入力された操作信号に対応してＬＥＤ照明の明るさを調節（ＬＥＤ照明の点灯／消灯を含み）するための制御信号を生成するための構成である。このようなマイコン５２は、図示されなかったが、入力される操作信号に対応する制御信号を生成するために各種照明の点滅及び明るさ調節に対するデータが保存されたメモリーなどの構成を含むようになる。
【００５９】
前記ディミング回路部１０は、マイコン２から入力された制御信号によって外部から印加される交流電源をＰＷＭ制御してＬＥＤ素子（Ｌ）の駆動明るさが調節された駆動信号を生成する構成である。すなわち、前記ディミング回路部１０は、ＰＷＭ（パルス幅変調）制御を通じて電流の入力量を制御してＬＥＤ素子（Ｌ）の駆動明るさを調節する構成である。このために前記ディミング回路部１０は赤外線インターフェース回路をＬＥＤモジュール（２０）に連結して具現することができる。
【００６０】
特に、前記ディミング回路部１０は、ＬＥＤ素子（Ｌ）が設定された時間の間、漸次的に明るくなるようにして点燈される過程と、設定された時間の間、漸次的に暗くなるようにして消灯される過程とを遂行するように構成される。前記ディミング回路部１０は、照明が明るくなる時間と暗くなる時間とをそれぞれ設定するようにしたタイマー（未図示）などの構成が繋がれることができる。
【００６１】
このような構成で、前記ＬＥＤ素子（Ｌ）により具現された照明が徐徐に明るくなる過程と徐徐に暗くなる過程中いずれか一つを選択的に適用するか、または、皆同時に適用することができる。
【００６２】
前記スイッチング部６は、マイコン５で使用者が直接操作信号を入力するようにするためのキー入力操作盤の形態であり、これは後述するコントローラー３のキー入力部７の構成と等しい。
【００６３】
図面の中で符号９は制御構成として、電源を供給するためのパワーサプライ形態の制御電源部を表わす。
【００６４】
前記ＬＥＤモジュール２０は、ディミング回路部１０から生成された駆動信号によって設定された照明の機能を遂行するための構成である。このために前記ＬＥＤモジュール２０は、電源部４０、整流部５０、ＬＥＤ駆動部６０で成り立った基本構成を持つ。
【００６５】
前記電源部４０は、装置の駆動源である交流電源を外部から受けるための構成である。この時、前記外部の交流電源は本実施例で韓国標準に使われる２２０Ｖの電源であり、これによって後述するＬＥＤ駆動部６０のＬＥＤ素子（Ｌ）の個数が指定される。
【００６６】
特に、前記のような電源部４０は、特定の状況の時、外部の電源を遮断するためのヒューズ４１を含む、ここで  前記特定の状況とは、短絡などの不意の要因によって外部から正格を超過する過度な交流電源が入力される状況等を意味する。
【００６７】
前記整流部５０は、入力された電源を整流するためのダイオード回路で構成される。この時、前記ダイオード回路はブリッジ整流回路５１が適用される。
【００６８】
前記ＬＥＤ駆動部６０は、前述した２２０Ｖの電源に対応して複数個のＬＥＤ素子（Ｌ）と抵抗６１が直列連結して構成される。このようなＬＥＤ駆動部６０は整流部５０から整流された電源を受けてＬＥＤ素子（Ｌ）を所定の電圧で駆動させるための構成である。
【００６９】
すなわち、図に示すように、前記外部の交流電圧が２２０Ｖで入力され、ＬＥＤ素子（Ｌ）の駆動電圧が３．２Ｖである時、前記ＬＥＤ素子（Ｌ）は６０個を配置して１９２Ｖの電圧がＬＥＤ素子（Ｌ）に分けられて印加され、残り８Ｖの電圧が抵抗にかけて、安定的な回路を得ることができる。
【００７０】
また、前記ＬＥＤ駆動部６０をさらに増設するためには、複数のＬＥＤ素子（Ｌ）と抵抗６１との直列連結された構成を１組にして複数組が並列連結して構成される。
【００７１】
前記コントロール部３は、ＬＥＤ照明部１を操作するために、操作信号を入力するためのリモートコントローラーの形態で構成される。このようなコントロール部３は、ＬＥＤ照明部１の無線通信モジュール２と対応する無線通信モジュール４を取り揃えている。
【００７２】
特に、前記コントロール部３は、キー入力部７、信号生成部８の構成を含む。
【００７３】
前記キー入力部７は、無線通信部４を通じてＬＥＤ照明部１へ操作信号を送るようにしたキーパッド形態の構成である。また、前記信号生成部８は、キー入力された信号を無線通信部４を通じて送るための操作信号を生成するための信号処理器の構成である。
【００７４】
一方、本発明の他の実施例を添付された図面を参照して詳しく説明する。
図４は本発明によるＬＥＤ照明システムのブロック図であり、図５は本発明によるＬＥＤ照明システムの中でセンサー部のブロック図である。
【００７５】
図面を参照すれば、本発明によるＬＥＤ照明システムは、センサー部１’、  制御部に適用されるマイコン２’、ディミング回路部１０、ＬＥＤモジュール２０で成り立つ。この時、前記ＬＥＤモジュール２０は、基本的に印刷回路基板（ＰＣＢ）上に複数個のＬＥＤ素子（Ｌ）が整列されて配置され、これらＬＥＤ素子（Ｌ）を駆動（点灯及び消灯）させるための色々電気及び電子部品が印刷回路基板上に実装された構成を適用することができる。
【００７６】
前記センサー部１’は、ＬＥＤ照明を適用するための区間で、人跡の有無、自然光の明るさ、一日の時間経過を感知するための構成である。このために前記センサー部１’は、人体感知センサー３’、光量感知センサー４’、時間感知センサー５’に仕分けされて構成する。
【００７７】
前記人体感知センサー３’は、ＬＥＤ照明が適用されなければならない室内または室外の区間に人跡の有無を感知するためのセンサーである。例として、前記人体感知センサー３’は、一般事務室や家庭のキッチンまたは工場内で作業人員がある場合、照明を点燈するようにし、作業人員がない場合照明を消灯する用途に適用することができる。
【００７８】
前記光量感知センサー４’は、照明が適用される区間に太陽光が照射される位を感知するためのセンサーである。このような光量感知センサー４’は、街燈や室外燈に適用する場合、昼夜を区分して照明が点滅されるか、また、室内の照明に適用する場合、室内に流入される太陽光の光量によって朝には自動点燈され、夜には自動消灯されるアラーム照明で適用することができる。
【００７９】
すなわち、前記光量感知センサー４’によりＬＥＤ照明は朝に起き、夕に眠る人体の生体リズムによる太陽光のような照明を室内で具現するための構成である。
【００８０】
前記時間感知センサー５’は、室内や外部の時計等と連動して一日の時間経過によって照明の明るさを調節するための信号を入力するセンサーである。すなわち、前記時間感知センサー５’はタイマーなどに適用することができる構成であり、その機能がセンサー部１’の機能と類似してセンサー部１’に含む。
【００８１】
前記マイコン２’は、センサー部１’の感知信号が入力されば、感知された状況に対応してＬＥＤ照明の明るさを調節するための制御信号を生成するための構成である。このようなマイコン２’は、図示されなかったが、センサー部１’から入力されるそれぞれの信号に対応する制御信号を生成するために、各種照明の点滅と明るさ調節に対するデータが保存されたメモリーなどの構成を含む。
【００８２】
前記ディミング回路部１０は、マイコン２’から入力された制御信号によって外部から印加される交流電源をＰＷＭ制御してＬＥＤ素子（Ｌ）の駆動明るさが調節された駆動信号を生成する構成である。すなわち、前記ディミング回路部１０は、ＰＷＭ（パルス幅変調）制御を通じて電流の入力量を制御してＬＥＤ素子（Ｌ）の駆動明るさを調節するようにした構成である。このために前記ディミング回路部１０は、赤外線インターフェース回路をＬＥＤモジュール２０に連結して具現することができる。
【００８３】
特に、前記ディミング回路部１０は、ＬＥＤ素子（Ｌ）が設定された時間の間、漸次的に明るくなるようにして点燈される過程と、設定された時間の間、漸次的に暗くなるようにして消灯される過程とを遂行するように構成される。前記ディミング回路部１０は、照明が明るくなる時間と暗くなる時間とをそれぞれ設定するようにしたタイマー１１’と連結して構成する。
【００８４】
このような構成で前記ＬＥＤ素子（Ｌ）により具現された照明が徐徐に明るくなる過程と徐徐に暗くなる過程中いずれか一つを選択的に適用するか、または、皆同時に適用することができる。
【００８５】
前記ＬＥＤモジュール２０は、ディミング回路部１０から生成された駆動信号によって設定された照明の機能を遂行するための構成である。このために前記ＬＥＤモジュール２０は、電源部４０、整流部５０、ＬＥＤ駆動部６０で成り立った基本構成を持つ。
【００８６】
前記電源部４０は、装置の駆動源である交流電源を外部から受けるための構成である。この時、前記外部の交流電源は、本実施例で韓国標準に使われる２２０Ｖの電源であり、これによって後述するＬＥＤ駆動部６０のＬＥＤ素子（Ｌ）の個数が指定される。
【００８７】
特に、前記のような電源部４０は、特定の状況の時、外部の電源を遮断するためのヒューズ４１を含む。ここで、前記特定の状況とは、短絡などの不意の要因によって外部から正格を超過する過度な交流電源が入力される状況等を意味する。
【００８８】
前記整流部５０は、入力された電源を整流するためのダイオード回路で構成される。この時、前記ダイオード回路はブリッジ整流回路５１が適用される。
【００８９】
前記ＬＥＤ駆動部６０は、前述した２２０Ｖの電源に対応して複数個のＬＥＤ素子（Ｌ）と抵抗６１が直列連結して構成される。このようなＬＥＤ駆動部６０は整流部５０から整流された電源を受けてＬＥＤ素子（Ｌ）を所定の電圧で駆動するための構成である。
【００９０】
すなわち、図に示すように、前記外部の交流電圧が２２０Ｖで入力され、ＬＥＤ素子（Ｌ）の駆動電圧が３．２Ｖである時、前記ＬＥＤ素子（Ｌ）は６０個を配置して１９２Ｖの電圧がＬＥＤ素子（Ｌ）に分けられて印加され、残り８Ｖの電圧が抵抗にかけて、安定的な回路を得ることができる。
【００９１】
また、前記ＬＥＤ駆動部６０をさらに増設するためには、複数のＬＥＤ素子（Ｌ）と抵抗（６１）の直列連結された構成を１組にして複数組が並列連結して構成される。
【００９２】
前記のような構成で、ＬＥＤ照明システムは、ＬＥＤモジュール２０のＯＮ／ＯＦＦ  及び設定状態を入力するために制御部２’へ設定信号を入力する電源スイッチング部６’と設定スイッチング部７’をさらに取り揃えている。
【００９３】
この時、前記各スイッチング部６、７は、有線に選択された操作パネル、無線に選択されたリモートコントローラーの両者形態を選択的にまたは皆具現して使用上の便利さを提供することができる。
【００９４】
一方、本発明のさらに他の実施例を添付された図面を参照して詳しく説明する。
【００９５】
図６は本発明によるＬＥＤ照明装置のブロック図あり、図７は本発明によるＬＥＤ照明装置の中で定電流回路部回路図である。
【００９６】
図面を参照すれば、本発明によるＬＥＤ照明装置は、ＬＥＤモジュール２０と、ＬＥＤモジュール２０に供給される電源の電流をいつも一定に維持させる定電流回路部１０’とで成り立つ。この時、前記ＬＥＤモジュール２０のＬＥＤ素子（Ｌ）は、印刷回路基板（ＰＣＢ）上に複数個が整列されて配置され、これらＬＥＤ素子（Ｌ）を駆動（点灯及び消灯）させるための色々電気及び電子部品が印刷回路基板上に実装された構成を適用することができる。
【００９７】
前記ＬＥＤモジュール２０は、外部から入力される交流電源を受けてＬＥＤ素子（Ｌ）を駆動させるための電源に整流して供給するように構成される。このためＬＥＤモジュール２０は、電源部４０、整流部５０、ＬＥＤ駆動部６０で成り立った基本構成を持つ。
【００９８】
前記電源部４０は、装置の駆動源である交流電源を外部から受けるための構成である。この時、前記外部の交流電源は、本実施例で韓国標準に使われる２２０Ｖの電源であり、これによって後述するＬＥＤ駆動部６０のＬＥＤ素子（Ｌ）の個数が指定される。
【００９９】
特に、前記のような電源部４０は、特定の状況の時、外部の電源を遮断するためのヒューズ４１を含む。ここで、前記特定の状況とは、短絡などの不意の要因によって外部から正格を超過する過度な交流電源が入力される状況などを意味する。
【０１００】
前記整流部５０は、入力された電源を整流するためのダイオード回路で構成される。この時、前記ダイオード回路はブリッジ整流回路５１が適用される。
【０１０１】
前記ＬＥＤ駆動部６０は、前述した２２０Ｖの電源に対応して複数個のＬＥＤ素子（Ｌ）と抵抗６１が直列連結して構成される。このようなＬＥＤ駆動部６０は整流部５０から整流された電源を受けてＬＥＤ素子（Ｌ）を所定の電圧で駆動させるための構成である。
【０１０２】
すなわち、図に示すように、前記外部の交流電圧が２２０Ｖで入力され、ＬＥＤ素子（Ｌ）の駆動電圧が３．２Ｖである時、前記ＬＥＤ素子（Ｌ）は６０個を配置して１９２Ｖの電圧がＬＥＤ素子（Ｌ）に分けられて印加され、残り８Ｖの電圧が抵抗にかけて、安定的な回路を得ることができる。
【０１０３】
また、前記ＬＥＤ駆動部６０をさらに増設するためには、複数のＬＥＤ素子（Ｌ）と抵抗６１との直列連結された構成を１組にして複数組が並列連結して構成される。
【０１０４】
前記定電流回路部１０’は、ＬＥＤモジュール２０に入力される電源の電流を一定に供給するための構成である。このような定電流回路部１０’は、電源がＬＥＤモジュール２０に入力される前または前述したＬＥＤモジュール２０の回路構成で電源がＬＥＤモジュール２０に入力されて整流部５０のブリッジ整流回路５１を通じて整流を遂行した以後の区間に選択的に設置することができる。
【０１０５】
図７は、前記のような定電流回路部１０’をＯＰアンプで製作した形態の構成を示す。この時、前記定電流回路は多様な形態に製作することができるが、回路構成をより単純に具現するためにワンチップのＩＣ形態に製作された’’定電流ＩＣ’’を適用するのが望ましい。
【０１０６】
また、前記定電流回路部１０’は電源が入力される側と、入力された電源を定電流供給する側にそれぞれ電流量を測定する電流測定機１１を含む。この時、前記電流測定機１１は、両者の電流量を比べる比較器１２が電気的に連結して構成される。このような構成で前記比較器１２により比較された電流量は数値に換算されてＬＣＤパネルまたは７−セグメントなどの表示装置１３を通じて外部に表示されて管理者がこれを随時で確認及びモニタリングできるように構成される。
【０１０７】
特に、この構成と関連して前記定電流回路部１０’は、マイコン１４を含んで構成される。このマイコン１４は、それぞれの電流測定機１１から検出された電流量が比較器１２を通じて比較されれば、比較されたデータを受けて過電流供給可否を判断するようになる。この時、判断された結果はＬＣＤパネル、７−セグメントまたはスピーカー、ブザーなどの映像及び音響表示装置１３を通じて外部に表示するように構成される。
【０１０８】
このようなマイコン１４は、図示されなかったが、入力される操作信号に対応する制御信号を生成するために、各種照明の点滅、明るさ調節に対するデータが保存されたメモリーなどの構成を含む。
【０１０９】
前記マイコン１４は、図３のようなディミング回路部１０を含む。前記ディミング回路部１０は、キー入力部１６を通じて使用者によるＬＥＤモジュール２０の操作信号が入力されれば、この操作信号がマイコン１４に入力されてＬＥＤモジュール２０を制御するための制御信号を生成し、この制御信号を受けてＬＥＤモジュール２０の点灯及び消灯と明るさ調節を遂行する構成である。
【０１１０】
前記ディミング回路部１０は、マイコン２から入力された制御信号によって外部から印加される交流電源をＰＷＭ制御してＬＥＤ素子（Ｌ）の駆動明るさが調節された駆動信号を生成する構成である。すなわち、前記ディミング回路部１０は、ＰＷＭ（パルス幅変調）制御を通じて電流の入力量を制御してＬＥＤ素子（Ｌ）の駆動明るさを調節するようにした構成である。このために前記ディミング回路部１０は赤外線インターフェース回路をＬＥＤモジュール２０に連結して具現することができる。
【０１１１】
特に、前記ディミング回路部１０は、ＬＥＤ素子（Ｌ）が設定された時間の間、漸次的に明るくなるようにして点燈される過程と、設定された時間の間、漸次的に暗くなるようにして消灯される過程とを遂行するように構成される。前記ディミング回路部１０は、照明が明るくなる時間と暗くなる時間とをそれぞれ設定するようにしたタイマー（未図示）などの構成が連結されることができる。
【０１１２】
このような構成で前記ＬＥＤ素子（Ｌ）により具現された照明が徐徐に明るくなる過程と、徐徐に暗くなる過程中いずれか一つを選択的に適用するか、または、皆同時に適用することができる。
【０１１３】
図面の中で、符号１７は制御構成として電源を供給するためのパワーサプライ形態の制御電源部を示す。
【０１１４】
一方、本発明は、ＳＭＰＳなどの専用回路構成を通じなくても簡素化された整流回路とＬＥＤ素子の個数調節により交流で駆動するＬＥＤ照明を具現し、ＬＥＤモジュールを複数個の単位モジュールが単一の電源で駆動するように配列して、屋内や外部の広告照明に適用される時簡素化された整流構成によって製作費用減少及び製品大きさをより小型化して製作することができる同時に、エネルギー節約を具現することができるし、いつも一定した定電流の供給によってより安定的に駆動することができる交流電源を利用したＬＥＤ照明モジュールを含む。
【０１１５】
前記のような本発明のＬＥＤモジュールに対して添付された図面を参照して詳しく説明する事にする。
【０１１６】
図８は本発明によるＲＧＢカラーＬＥＤモジュールの斜視図であり、図９は本発明によるＲＧＢカラーＬＥＤモジュールの回路構成ブロック図である。
【０１１７】
図面を参照すれば、本発明によるＲＧＢカラーＬＥＤモジュール（以下、照明モジュール）は、ブリッジダイオード整流回路部２１０、モジュール色相調節回路部２２０、ＲＧＢ  ＬＥＤ駆動部２３０で成り立つ。この時、前記照明モジュールを駆動するための電源は交流電源であり、この交流電源は本実施例で韓国標準に使われる２２０Ｖ〜３００Ｖの電源を基準に提案されたものである。
【０１１８】
前記ブリッジダイオード整流回路部２１０は、装置の駆動源である交流電源を受けてＲＧＢ  ＬＥＤ（Ｌ）を駆動させるための整流電源に変換して出力する構成である。すなわち、前記ブリッジダイオード整流回路部２１０は概して４個のダイオードを１セットでつないで交流の整流を遂行するための通常的な回路構成で以上の記載を略する。
【０１１９】
前記モジュール色相調節回路部２２０は、ブリッジダイオード整流回路部２１０を通じて入力された電源を所定の照明色相を演出するための信号を生成する構成である。すなわち、前記モジュール色相調節回路部２２０は、Ｒ、Ｇ、Ｂの各ＬＥＤ（Ｌ）へ供給する電源を分岐及び調節して最終的に得られる照明の色相を設定及び調節するようにする調節手段である。
【０１２０】
この時、前記モジュール色相調節回路部２２０から生成される信号は、入力された電源のパルス幅変調（ＰＷＭ）を通じて各Ｒ、Ｇ、Ｂに入力される電源を制御してＲ、Ｇ、Ｂ  ＬＥＤ（Ｌ）から放出される光の強度調節によりＲ、Ｇ、Ｂ  色相の光が混合して演出される照明色相が設定される。
【０１２１】
前記ＲＧＢ  ＬＥＤ駆動部２３０は、モジュール色相調節回路部２２０を通じて入力された電源によりＲ、Ｇ、Ｂの光を放出するための複数のＬＥＤ（Ｌ）が配置されて構成される。この時、前記Ｒ、Ｇ、Ｂ  ＬＥＤ（Ｌ）はＲ（ＲＥＤ）  ＬＥＤグループ２３１、Ｇ（ＧＲＥＥＮ）  ＬＥＤグループ２３２、Ｂ（ＢＬＵＥ）  ＬＥＤグループ２３３で区分される。ここで、前記Ｒ、Ｇ、Ｂ  ＬＥＤグループ２３１、２３２、２３３は、それぞれ赤色、緑、青色の光を発光する集合体の構成である。  
【０１２２】
特に、前記Ｒ、Ｇ、Ｂ  ＬＥＤグループ２３１、２３２、２３３はそれぞれ複数のＬＥＤ（Ｌ）が直列で連結されてモジュール色相調節回路部２２０を通じて入力された電源がそれぞれのＬＥＤ（Ｌ）で分けられて電圧降下をすることによって、所定の電圧によってそれぞれのＲＧＢ  ＬＥＤ（Ｌ）が駆動することができる。
【０１２３】
すなわち、この構成を理解するための例示をすれば、前記ＬＥＤ（Ｌ）一つ当たり約３．２Ｖの順方向電圧を持つから、前述したＲＧＢ  ＬＥＤ（Ｌ）を６０〜７２個連結すれば、１９２Ｖ〜２３０Ｖ程度がＬＥＤにより降圧される。よって、本実施例では整流された２２０〜３００Ｖの電圧から１９２〜２３０Ｖを差し引き、残り電圧は、抵抗（図示しなかったが、ＬＥＤとともに直列に実装される）を通じる電流設定用で利用することによって、ＲＧＢ  ＬＥＤを駆動させることができる。
【０１２４】
図１０は本発明によるＲＧＢカラーＬＥＤモジュールの機能が拡張された構成ブロック図である。
【０１２５】
前記のように構成された照明モジュールは、Ｒ、Ｇ、Ｂ色相の組合により所定の照明色相を表現するようにするための複数の単位モジュール２４０を含む。
【０１２６】
前記単位モジュール２４０を構成するため、Ｒ、Ｇ、Ｂ  ＬＥＤグループ２３１、２３２、２３３をそれぞれ分割してＲ、Ｇ、Ｂ  ＬＥＤ分割グループ２４１、２４２、２４３で区分する。以後、前記のように区分されたＲ、Ｇ、Ｂ  ＬＥＤ分割グループ２４１、２４２、２４３をそれぞれの単一の基板（Ｐ）に実装して単位モジュール２４０を構成する。この時、前記単位モジュール２４０にはそれぞれ識別手段が付与されたスイッチング回路部２４４が実装されて構成される。ここで、前記識別手段は電気及び電子コードなどに付与される。
【０１２７】
前記単位モジュールの構成と関連して、前述したモジュール色相調節回路部２２０は、制御部２２１、駆動回路部２２２で構成される。
【０１２８】
前記制御部２２１は、ブリッジダイオード整流回路部２１０を通じて入力された電源を各単位モジュール２４０に選択的に分割入力するための構成であり、特に、前述したようにＲ、Ｇ、Ｂ  ＬＥＤ分割グループ２４１、２４２、２４３の選択的な点滅により所定の色相の照明を演出するようにするための信号を生成するマイクロプロセッサー、マイコンまたはより進歩された形態の構成としてマイクロコンピューターなどを適用することができる。
【０１２９】
前記駆動回路部２２２は、制御部２２１から生成された信号を受けて各単位モジュール２４０のスイッチング回路部２４４を選択的に駆動させるための構成である。すなわち、前記駆動回路部２２２は、入力された電源を実際パルス幅変調するための変調回路で具現される。
【０１３０】
前記のような照明モジュールの構成で、モジュール色相調節回路部２２０は、使用者の要求によって照明色相を調節するための手段を付け加えることができる。このために前記モジュール色相調節回路部２２０は、操作信号入力部２２３と色相データテーブル２２４とを含んで構成される。
【０１３１】
前記操作信号入力部２２３は、各単位モジュール２４０に対する選択的な駆動可否及び選択された単位モジュールの照明色相を使用者が入力するようにするためのキーパッド形態の操作パネル、有無線リモートコントローラーを適用することができる。
【０１３２】
前記色相データテーブル２２４は、操作信号入力部２２３により入力された信号によって単位モジュール２４０を選択して使用者が要求する照明色相に対するデータを制御部２２１に提供する保存媒体である。この保存媒体としてハードドライブ、ラムなどのメモリーを適用することができる。
【０１３３】
また、前記照明モジュールは、ブリッジダイオード整流回路部２１０により整流されて入力される電源をいつも一定の量の電流で供給するための定電流供給回路部２５０を取り揃えている。
【０１３４】
この時、前記定電流供給回路部２５０は、ＲＧＢ  ＬＥＤ（Ｌ）が直列形態で連結された場合、ＲＧＢ  ＬＥＤごとに順電圧（ｆｏｒｗａｒｄ  ｖｏｌｔａｇｅ）が相異し、ＲＧＢ  ＬＥＤ発光の時、熱により順電圧が変わるようになる。このような状況でＲＧＢ  ＬＥＤに印加される電流が状況によって過電流による故障発生の可能性が高いから、適用される構成である。
【０１３５】
このような定電流供給回路部２５０は、トランジスター増幅回路、ＯＰアンプまたはレギュレーター回路などの多くの回路形態で構成することができるし、望ましくは、ワンチップ形態の定電流ＩＣを適用することができる。
＜使用状態実施例  １＞
【０１３６】
図１１は本発明の使用状態実施例１の例示図である。
【０１３７】
図面を参照すれば、使用状態実施例１のＲＧＢカラーＬＥＤモジュールは、複数の単位モジュール２４０が連結されて広告用チャンネルサイン（ｃｈａｎｎｅｌ  ｓｉｇｎ）に適用された構成を開示する。
【０１３８】
このような構成を具現するために、チャンネルサインは所定の字、ロゴの形態でチャンネル部材２６０を製作して壁体（Ｗ）に結合し、チャンネル部材２６０の内側にチャンネル部材２６０の形態と対応されるように単位モジュール２４０を配置して装着する。以後、前記単位モジュール２４０が装着された前方に単位モジュール２４０のＲＧＢ  ＬＥＤ（Ｌ）から放出された光を透過させて外部へ放出するための光透過パネル２６１を結合して構成する。
【０１３９】
このように本発明が適用されたチャンネルサインは、ＲＧＢ  ＬＥＤ（Ｌ）の照明色相を多様に調節してより向上した広告效果を得ることができる。
＜使用状態実施例  ２＞
【０１４０】
図１２は本発明の使用状態実施例２の例示図である。
【０１４１】
図面を参照すれば、使用状態実施例２のＲＧＢカラーＬＥＤモジュールは、一般家庭、事務室、事業場などで室内照明燈に適用された構成を開示する。
【０１４２】
このような構成を具現するため、主に天井に設置される照明燈内部に前記単位モジュール２４０を複数個連結して設置し、その前方に光透過カバー２７０を設置して室内照明燈の構成を完成する。
【０１４３】
この時、前記単位モジュール２４０のＲＧＢ  ＬＥＤ（Ｌ）色相を多様に調節すれば、室内照明燈にインテリアー照明の機能を付与して機能が拡張された製品を具現することができる。
＜使用状態実施例３＞
【０１４４】
図１３は本発明の使用状態実施例  ３の例示図である。
【０１４５】
図面を参照すれば、使用状態実施例３のＲＧＢカラーＬＥＤモジュールは、室内燈に適用されるスタンド形態の照明器具構成を開示する。
【０１４６】
このような構成を具現するために、前記照明器具は、かすかな照明を要求する寝室や居間などに配置されるスタンド２８０の電灯部２８１に単位モジュール２４０を複数個連結して照明手段を装着し、その外部に電灯の傘２８２などを配置して室内装飾機能とムード（ｍｏｏｄ）灯の機能を遂行することができる。
ここで、前記照明器具は、ＲＧＢ  ＬＥＤ（Ｌ）の色相調節によって多様な照明を演出し、特に、定電流供給回路部２５０により室内で使われる照明器具をより安全で安定的に使うことができる。
【符号の説明】
【０１４７】
１    ＬＥＤ照明部
１’    センサー部
２、４    無線通信モジュール    
２’    制御部
３    コントロール部      
５    マイコン
１０    ディミング回路部  
１０’    定電流回路部
１１    電流測定機
１１’    タイマー
１２    比較器
１３    表示装置
１４    マイコン  
２０    ＬＥＤモジュール
４０    電源部  
５０    整流部
５１    ブリッジ整流回路
６０    ＬＥＤ駆動部
２１０    ブリッジダイオード整流回路
２２０    モジュール色相調節回路部
２２１    制御部
２２２    駆動回路部
２２３    操作信号入力部
２２４    色相データテーブル
２３０    ＲＧＢ  ＬＥＤ駆動部
２３１、２３２、２３３    Ｒ、Ｇ、Ｂ  ＬＥＤグループ
２４０    単位モジュール
２４１、２４２、２４３    Ｒ、Ｇ、Ｂ  ＬＥＤ分割グループ
２５０    定電流供給回路部
Ｌ    ＬＥＤ
【図１】
2011521407.tif 000003
【図２】
2011521407.tif 000004
【図３】
2011521407.tif 000005
【図４】
2011521407.tif 000006
【図５】
2011521407.tif 000007
【図６】
2011521407.tif 000008
【図７】
2011521407.tif 000009
【図８】
2011521407.tif 000010
【図９】
2011521407.tif 000011
【図１０】
2011521407.tif 000012
【図１１】
2011521407.tif 000013
【図１２】
2011521407.tif 000014
【図１３】
2011521407.tif 000015
【国際調査報告】
2011521407.tif 000016
2011521407.tif 000017
2011521407.tif 000018
2011521407.tif 000019